(57)【要約】【課題】アークホーンを簡単かつ確実に被覆し、高圧引下線等がアークホーンに接触した場合に、その接触による高圧引下線の摩耗を防止するとともに、高圧引下線等からアークホーンへ地絡電流が流れることを防止することができる高圧カットアウト用カバーを提供する。【解決手段】高圧配電線と柱上変圧器Ｂとの間に設けられた高圧カットアウトＣが備える湾曲した金属板から成るアークホーンＤを被覆する高圧カットアウト用カバー１は、アークホーンＤの湾曲形状に対応した形状を有する一対の絶縁性のカバー部材２ａ，２ｂと、一対のカバー部材２ａ，２ｂの間にアークホーンＤを挟んだときに互いに係合する凹部３ａ及び凸部３ｂとを備える。【選択図】図１
2008159500.tif 000002
【特許請求の範囲】
【請求項１】
高圧配電線と柱上変圧器との間に設けられた高圧カットアウトが備える湾曲した金属板から成るアークホーンを被覆するカバーであって、
前記アークホーンの湾曲形状に対応した形状を有する一対の絶縁性のカバー部材と、
前記一対のカバー部材の間に前記アークホーンを挟んだときに互いに係合する係合部と
を備えることを特徴とする高圧カットアウト用カバー。
【請求項２】
請求項１記載の高圧カットアウト用カバーにおいて、
前記一対のカバー部材は、大形の絶縁性の板体を２つ折りにしてできる２つの部分によって構成されることを特徴とする高圧カットアウト用カバー。
【請求項３】
請求項１又は２記載の高圧カットアウト用カバーにおいて、
前記係合部は、前記一対のカバー部材の一方に設けられた凸部と、前記一対のカバー部材の他方に設けられ、前記凸部に嵌合する凹部とを備えることを特徴とする高圧カットアウト用カバー。
【請求項４】
請求項１乃至３のいずれか１項記載の高圧カットアウト用カバーにおいて、
前記カバー部材は把持部を備えることを特徴とする高圧カットアウト用カバー。
【発明の詳細な説明】
【技術分野】
【０００１】
本発明は、高圧カットアウトのアークホーンを被覆するカバーに関する。
【背景技術】
【０００２】
高圧カットアウトは、高圧配電線と柱上変圧器との間に設けられ、柱上変圧器を過電流から保護するとともに、柱上変圧器を高圧線から切り離すために用いられる。具体的に襲雷時には、落雷により発生した誘導雷インパルスが高圧配電線側から高圧カットアウトに流れると、内部の限流素子を介して金属製のアークホーン（アーキングホーンや閃絡棒とも言う。）に放電を行い、アークホーンに接続された接地線等を介して誘導雷インパルスが地中へと導かれることで、柱上変圧器を保護している。
【０００３】
かかる高圧カットアウトを保護するカバーとしては、変圧器の蓋部材の上に高圧カットアウトを配置し、変圧器の蓋部側から高圧カットアウトを囲むようにした筒状体のものが知られている（特許文献１参照）。
【特許文献１】特開平７−２６３２４５号公報
【発明の開示】
【発明が解決しようとする課題】
【０００４】
しかしながら、このような高圧カットアウト用カバーでは、アークホーンはその機能を発揮するために露出した状態となっており、このアークホーンに高圧配電線から高圧カットアウトに接続される高圧引下線が直に接触し得る。高圧引下線がアークホーンに接触すると、金属製のアークホーンとの間の摩擦によって高圧引下線の被覆が摩耗し、高圧引下線からアークホーンを介して地絡電流が流れる虞がある。
【０００５】
このようなアークホーンと高圧引下線の接触は、上述の高圧カットアウト用カバーが装着されていない高圧カットアウトにおいても同様であり、高圧引下線は、強風や大型鳥類の飛来などによって形状が変化し、アークホーンに接触する場合があり得る。そのため、高圧引下線を太線化することや高圧カットアウトの構造を変更することも検討されるが、これら既存の設備のすべてを張替及び交換等することは困難である。
【０００６】
そこで、本発明は、アークホーンを簡単かつ確実に被覆し、高圧引下線等がアークホーンに接触した場合に、その接触による高圧引下線等の摩耗を防止するとともに、高圧引下線等からアークホーンへ地絡電流が流れることを防止することができる高圧カットアウト用カバーを提供することを目的とする。
【課題を解決するための手段】
【０００７】
本発明の高圧カットアウト用カバーは、高圧配電線と柱上変圧器との間に設けられた高圧カットアウトが備える湾曲した金属板から成るアークホーンを被覆するカバーであって、前記アークホーンの湾曲形状に対応した形状を有する一対の絶縁性のカバー部材と、前記一対のカバー部材の間に前記アークホーンを挟んだときに互いに係合する係合部とを備えることを特徴とする。
【０００８】
かかる高圧カットアウト用カバーによれば、アークホーンの湾曲形状に対応した一対のカバー部材によってアークホーンを挟んで簡単に被覆することができる。また、アークホーンを挟んだ一対のカバー部材は、係合部によって互いに係合して保持されるため、確実にアークホーンを被覆することができる。そして、高圧引下線等は、アークホーンに接触した場合に、金属製のアークホーンとの接触が回避され、高圧引下線等の摩耗を防ぐことができる。さらに、カバー部材は、絶縁性の材料によって構成されているため、高圧引下線からアークホーンへ地絡電流が流れることも防止することができる。
【０００９】
前記一対のカバー部材は、大形の絶縁性の板体を２つ折りにしてできる２つの部分によって構成されることが好ましい。これにより、２つ折りにして構成されるカバー部材の間にアークホーンを挟み、開放端側を閉じることによりアークホーンを簡単に被覆することができる。
【００１０】
前記係合部は、前記一対のカバー部材の一方に設けられた凸部と、前記一対のカバー部材の他方に設けられ、前記凸部に嵌合する凹部とを備えることが好ましい。これにより、一対のカバー部材の間にアークホーンを挟んだときに互いに係合する構成を簡易に実現することができる。
【００１１】
前記カバー部材は、把持部を備えることが好ましい。これにより、絶縁性のヤットコ等の先端部で把持部を把持して、カバー部材をアークホーンに容易に取付けることができ、取付け負担が軽減されるとともに取付け作業を安全に行うことができる。
【発明を実施するための最良の形態】
【００１２】
図１に示すように、実施形態の高圧カットアウト用カバー１は、例えば、電柱Ａの上部に張られた高圧配電線（図示略）と柱上変圧器Ｂとの間に設けられた高圧カットアウトＣに取り付けられるカバーであって、特に、高圧カットアウトＣのアークホーンＤを被覆するものである。
【００１３】
ここで、高圧カットアウトＣは、高圧配電線から高圧カットアウトＣ側に引き下ろされた高圧引下線Ｅを介して高圧配電線に電気的に接続されるともに、別の電線又はケーブルを介して柱上変圧器Ｃにも電気的に接続されている。
【００１４】
高圧カットアウト用カバー１は、金属板から成るアークホーンＤの湾曲形状に対応した形状を有する一対のカバー部材２ａ，２ｂを備える。一対のカバー部材２ａ，２ｂの全長は、アークホーンＤの放電部Ｄ１及び固着部Ｄ２の部分を除いた長さとなっており、アークホーンＤの全長よりも小さい。
【００１５】
図２に示すように、一対のカバー部材２ａ，２ｂは、絶縁性及び一定の緩衝性を有する合成樹脂製の板体を２つ折りにしてできる２つの部分によって構成される。板体を折り曲げた部分の内方には切込２ｃが形成され、一対のカバー部材２ａ，２ｂの開放部側を閉じたときに、その間には一定の間隙が形成される。
【００１６】
また、カバー部材２ａの開放部側の端部には一対の凹部３ａが形成されており、カバー部材２ｂの開放部側の端部には、一対の凹部３ａに対向する位置に一対の凸部３ｂが形成されている。そして、凹部３ａと凸部３ｂとは、開放部側を閉じた際に、互いに係合して保持されるようになっている。
【００１７】
さらに、カバー部材２ａの外面には、柱状の把持部４が延設して設けられている。把持部４は、ヤットコＦで把持して、高圧カットアウト用カバー１を持ち上げることができように、カバー部材２ａと一定の強度で結合されている。
【００１８】
次に、本実施形態の高圧カットアウト用カバー１の使用方法を簡単に説明する。
【００１９】
高圧カットアウト用カバー１の取付け作業は、絶縁性のヤットコＦを用いて柱上に設けられた高圧カットアウトＣのアークホーンＤにカバー部材２ａ，２ｂと取り付けることにより行われる。
【００２０】
具体的には、取り付け作業を行う作業者が、高所作業車の作業台に搭乗し、高圧カットアウト用カバー１を取り付ける高圧カットアウトＣの隣接位置まで移動する。そして、ヤットコＦの先端動作部でカバー部２ａの把持部４を把持する。
【００２１】
次いで、作業者は、把持された高圧カットアウト用カバー１の開放部側が開いていることを確認し、ヤットコＦを高圧カットアウトＣ側へ伸ばし、開放部をアークホーンＤの側方に向けて、開放部側から一対のカバー部材２ａ，２ｂの間にアークホーンＤを挟み込む。
【００２２】
この状態で、別のヤットコ等を用いて、カバー２ａ，２ｂの端部にそれぞれ設けられた凹部３ａと凸部３ｂを結合させて、開放部側を閉じる。
【００２３】
このように、本実施形態の高圧カットアウト用カバー１によれば、アークホーンＤを挟んで簡単に被覆することができる。また、アークホーンＤを挟んだ一対のカバー部材２ａ，２ｂは、凹部３ａと凸部３ｂからなる係合部によって互いに係合して保持され、確実にアークホーンＤを被覆することができる。さらに、一対のカバー部材２ａ，２ｂは、その全長がアークホーンＤの全長よりも小さく、アークホーンＤの放電部Ｄ１の部分は露出している。そのため、高圧カットアウトＣの機能を損なうこともない。
【００２４】
加えて、高圧引下線ＥがアークホーンＤに接触した場合にも、カバー部材２ａ，２ｂによって、金属製のアークホーンＤとの接触により高圧引下線Ｅの被覆が摩耗することを回避することができる。また、万一、高圧引下線Ｅの被覆が劣化等していても、カバー部材２ａ，２ｂが絶縁性の材料によって構成されているため、高圧引下線ＥからアークホーンＤへ地絡電流が流れることもない。
【００２５】
尚、本実施形態において、図示の例では、一対のカバー部材は、凹凸部によって係合して保持されているが、これに限定されるものではなく、例えば、カバー部材に爪部を設けて互いに係合するようにしてもよい。
【００２６】
また、カバー部材をそれぞれ別個独立の部材とし、それぞれのカバー部材の両端部に凹凸部等の係合部を設けるようにしてもよい。この場合には、それぞれのカバー部材に把持部を設けて、それぞれのカバー部材を把持してアークホーンの取付け位置に配置した上で、両端部の係合部をそれぞれ係合させることにより取付けを行う。
【００２７】
さらに、絶縁性を有するカバー部材をアークホーンに取付ける代わりに、絶縁性を有する硬化性樹脂塗料をアークホーンにコーティングし、高圧引下線等とアークホーンと接触による摩耗を低減するようにしてもよい。
【００２８】
本実施形態においては、高圧引下線とアークホーンとの接触について説明したが、これに限定されるものではなく、柱上の他の電線やケーブル等とアークホーンが接触する場合についても、上述の作用効果を得ることができる。
【図面の簡単な説明】
【００２９】
【図１】本実施形態の高圧カットアウト用カバーの使用状態を示す図。
【図２】本実施形態の高圧カットアウト用カバーの斜視図。
【符号の説明】
【００３０】
１…高圧カットアウト用カバー、２ａ，２ｂ…カバー部材、３ａ…凹部、３ｂ…凸部、４…把持部、Ａ…電柱、Ｂ…柱上変圧器、Ｃ…高圧カットアウト、Ｄ…アークホーン、Ｅ…高圧引下線、Ｆ…ヤットコ。
【図１】
2008159500.tif 000003
【図２】
2008159500.tif 000004